(57)【要約】  【課題】  目でレンズのフォーカスを合わせなくともフォーカス合わせを行うテレビジョンカメラ装置を提供する。  【解決手段】  レンズ１から取り込んだ映像信号から輪郭信号を抽出しそのディテールレベルを検出するディテールレベル検出回路２１と、ディテールレベル検出回路で検出したディテールレベルのデータより、ディテールレベルでフォーカスが合っているか合っていないかを判定し、合っていない場合にディーテールレベルとフォーカス位置よりオートフォーカス調整量を検出して出力する制御部２２を備え、制御部からのオートフォーカス調整量をレンズに供給してオートフォーカスを行う。【選択図】図１
2006323131.tif 000002
【特許請求の範囲】
【請求項１】
レンズから取り込んだ映像信号から輪郭信号を抽出しそのディテールレベルを検出するディテールレベル検出回路と、該ディテールレベル検出回路で検出した前記ディテールレベルのデータより、前記ディテールレベルでフォーカスが合っているか合っていないかを判定し、合っていない場合にディーテールレベルとフォーカス位置よりオートフォーカス調整量を検出して出力する制御部を備え、該制御部からの前記オートフォーカス調整量を前記レンズに供給してオートフォーカスを行うことを特徴とするテレビジョンカメラ装置。
【請求項２】
請求項１記載のテレビジョンカメラ装置において、オートフォーカスＯＮ／ＯＦＦスイッチを備え、前記制御部は、前記ディテールレベルでフォーカスが合っていないと判定した場合、前記オートフォーカスＯＮ／ＯＦＦスイッチに基づくオートフォーカスＯＮかＯＦＦかを判定をし、前記ＯＮと判定した場合に、前記オートフォーカス調整量を検出することを特徴とするテレビジョンカメラ装置。
【請求項３】
請求項１または２記載のテレビジョンカメラ装置において、ビューファインダーを備え、前記制御部は、前記ディテールレベルでフォーカスが合っていると判断した場合、その旨を伝える表示信号を前記ビューファインダーに送り、前記ビューファインダーはフォーカスが合っている旨の表示を行うことを特徴とするテレビジョンカメラ装置。
【発明の詳細な説明】
【技術分野】
【０００１】
本発明はテレビジョンカメラ装置に関し、特にレンズのフォーカスを合わせる技術に関する。
【背景技術】
【０００２】
テレビジョンカメラ装置においては、レンズから取り込んだ映像信号から輪郭信号を抽出しビューファインダーに表示するようにしている。撮影者はビューファインダーに表示輪郭信号を見ながら、目だけで合わせていた（例えば、特許文献１参照）。
【０００３】
【特許文献１】特開平１０−２３３９６１号公報
【発明の開示】
【発明が解決しようとする課題】
【０００４】
しかしながら、撮影者がビューファインダーに映る輪郭信号を見ながら目だけでレンズのフォーカスを合わせていると、実際にテレビジョンカメラ装置で撮影した映像とのずれを生じてしまうことが多々ある。これは、ビューファインダーの画質の問題や、ビューファインダー自体に画像を調整する機能があり、実際の撮影している映像とは異なってしまっているということ等が影響する。
【０００５】
本発明の目的は、目でレンズのフォーカスを合わせなくともフォーカス合わせを行うテレビジョンカメラ装置を提供することにある。
【課題を解決するための手段】
【０００６】
本発明は、レンズから取り込んだ映像信号から輪郭信号を抽出しそのディテールレベルを検出するディテールレベル検出回路と、該ディテールレベル検出回路で検出した前記ディテールレベルのデータより、前記ディテールレベルでフォーカスが合っているか合っていないかを判定し、合っていない場合にディーテールレベルとフォーカス位置よりオートフォーカス調整量を検出して出力する制御部を備え、該制御部からの前記オートフォーカス調整量を前記レンズに供給してオートフォーカスを行うことを特徴とする。
【０００７】
また本発明は、オートフォーカスＯＮ／ＯＦＦスイッチを備え、前記制御部は、前記ディテールレベルでフォーカスが合っていないと判定した場合、前記オートフォーカスＯＮ／ＯＦＦスイッチに基づくオートフォーカスＯＮかＯＦＦかを判定をし、前記ＯＮと判定した場合に、前記オートフォーカス調整量を検出することを特徴とする。
【０００８】
また本発明は、ビューファインダーを備え、前記制御部は、前記ディテールレベルでフォーカスが合っていると判断した場合、その旨を伝える表示信号を前記ビューファインダーに送り、前記ビューファインダーはフォーカスが合っている旨の表示を行うことを特徴とする。
【発明の効果】
【０００９】
本発明によれば、目でレンズのフォーカスを合わせなくともフォーカス合わせを行うテレビジョンカメラ装置を得ることができる。
【発明を実施するための最良の形態】
【００１０】
本発明に係る実施の形態について説明する。
【００１１】
図１は、本発明によるテレビジョンカメラ装置の実施の形態のブロック構成図である。
【００１２】
テレビジョンカメラ装置は、レンズ１とカメラヘッド２とビューファインダー３と、オートフォーカスＯＮ／ＯＦＦスイッチ（ＳＷ）４から構成される。
【００１３】
レンズ１は、カメラヘッド２に対して前後方向に回転させながら移動（以下、レンズを回転させることで、レンズをカメラヘッドに対して前後方向に移動させることを、回動と称する）可能で、且つフォーカス調整回路１１と、フォーカス位置検出回路１２を備える。
【００１４】
カメラヘッド２は、ディテールレベル検出回路２１と、制御部（ＣＰＵ）２２を備える。ＣＰＵ２２は、ディテールレベル判定２２−１とオートフォーカスＯＮ／ＯＦＦ判定２２−２とオートフォーカス調整量検出２２−３を行う。
【００１５】
レンズ１から取り込んだ映像信号は、フォーカス調整回路１１を通りカメラヘッド２に入る。カメラヘッド２に入った映像信号は、ディテールレベル検出回路２１で、映像信号から輪郭（ディテール）信号を抽出し、ディテールレベルを検出して、そのデータをＣＰＵ２２に取り込む。
【００１６】
ＣＰＵ２２では、まずディテールレベル判定２２−１で、検出したデータを基に、フォーカスが合っているのかを判定する。具体的には、検出したディテールレベルと、予め定めて記憶してあるフォーカスレベルの閾値とを比較して、検出したディテールレベルがその閾値を越えたかどうかを判定する。
【００１７】
ＣＰＵ２２は、ディテールレベル判定２２−１で、検出したディテールレベルがその閾値を越えていないと判定した場合、次にオートフォーカスＯＮ／ＯＦＦ判定２２−２により、オートフォーカスＯＮ／ＯＦＦスイッチ（ＳＷ）４に基づくオートフォーカスＯＮかＯＦＦかを判定する。
【００１８】
ＣＰＵ２２は、オートフォーカスＯＮ／ＯＦＦ判定２２−２で、オートフォーカスＯＮと判定した場合、次にオートフォーカス調整量検出２２−３で、オートフォーカス調整量を検出する。具体的には、検出したディテールレベルと、予め定めて記憶してあるフォーカスレベルの閾値との差、およびレンズ１のフォーカス位置検出回路１２で検出したレンズ位置に基づき、オートフォーカス調整量を検出する。
【００１９】
ＣＰＵ２２は、このようにして、レンズ１の位置に応じたオートフォーカス調整量を検出し、カメラ２から出力する。
【００２０】
カメラ２から出力したオートフォーカス調整量を、レンズ１のフォーカス調整回路１１にオートフォーカス制御信号として供給することで、レンズ１を、検出したディテールレベルがその閾値を越える方向に一定量回動させる。
【００２１】
レンズ１を一定量回動させた後、レンズ１から取り込んだ映像信号から再び輪郭（ディテール）信号を抽出し、ディテールレベルを検出して、そのデータをＣＰＵ２２に取り込み、ディテールレベル判定２２−１で、検出したデータを基に、フォーカスが合っているのかを再び判定する。
【００２２】
ＣＰＵ２２は、ディテールレベル判定２２−１で、検出したディテールレベルがその閾値を越えていないと再び判定した場合、オートフォーカス調整量検出２２−３で、オートフォーカス調整量を再び検出し、カメラ２から出力する。
【００２３】
カメラ２から出力したオートフォーカス調整量を、レンズ１のフォーカス調整回路１１にオートフォーカス制御信号として供給することで、レンズ１を、検出したディテールレベルがその閾値を越える方向に再び一定量回動させる。
【００２４】
この動作を繰り返すことにより、ディテールレベル判定２２−１での、検出したディテールレベルと、予め定めて記憶してあるフォーカスレベルの閾値との比較において、検出したディテールレベルがその閾値を越えるようになり、閾値を越えた場合フォーカスが合ったと判定する。
【００２５】
以上の繰り返し動作により、オートフォーカスを行う。
【００２６】
ディテールレベル判定２２−１で、フォーカスが合ったと判定した場合、その旨を伝える表示信号を、ビューファインダー３に送る。
【００２７】
ビューファインダー３は、その表示信号を受け取り、ビューファインダー３上にフォーカスが合っている旨の表示を行う。
【００２８】
図２は、ビューファインダー３上でフォーカスが合った旨を表示する例を示す図である。
【００２９】
図２においては、ビューファインダー３の左下に、ＦＣという文字３１を表示する。このことで、撮影者はフォーカスが合っていると認識することができる。
【００３０】
本発明の実施の形態によれば、目でレンズのフォーカスを合わせなくともフォーカス合わせを行うことができる。
【００３１】
また撮影者はオートフォーカスＯＮ／ＯＦＦスイッチの操作により目でレンズのフォーカスを合わせることもできる。
【００３２】
またフォーカスが合った場合は、その旨の表示がビューファインダーにされるので、撮影者はフォーカスが合ったか合っていないかを的確に把握することができる。
【図面の簡単な説明】
【００３３】
【図１】本発明によるテレビジョンカメラ装置の実施の形態のブロック構成図である。
【図２】ビューファインダー上でフォーカスが合った旨を表示する例を示す図である。
【符号の説明】
【００３４】
１…レンズ
１１…フォーカス調整回路
１２…フォーカス位置検出回路
２…カメラヘッド
２１…ディテールレベル検出回路
２２…ＣＰＵ
２２−１…ディテールレベル判定
２２−２…オートフォーカスＯＮ／ＯＦＦ判定
２２−３…オートフォーカス調整量検出
３…ビューファインダー
３１…ＦＣ（フォーカスが合った旨の表示）
４…オートフォーカスＯＮ／ＯＦＦスイッチ。
【図１】
2006323131.tif 000003
【図２】
2006323131.tif 000004